(57)【特許請求の範囲】
【請求項１】
自車両のシャシフレーム上に傾動およびスライド移動可能に設けられるとともに地上に降ろされる荷台を備える貨物自動車に用いられ、前記荷台を前記自車両の後方にスライド移動させるときに地面に接地して前記荷台を支持する荷台支持脚であって、
当該荷台支持脚は、
地面に接地する支持脚ローラと、
当該支持脚ローラが回動可能なように前記荷台の裏面側に設けられて枢支箇所の全てが自車両幅方向を向く軸回りに連結されたリンク機構と、
前記シャシフレームに連結して前記リンク機構を支持する本体フレームと、
前記荷台のスライド移動により前記リンク機構を回動させる起伏切換機構と、を備え、
前記リンク機構は、
前記支持脚ローラを支持する支持脚フレームと、
当該支持脚フレームの上側と前記本体フレームとを連結する上側支持脚リンクと、
前記支持脚フレームの下側と前記シャシフレームとを連結する下側支持脚リンクと、を備え、
前記上側支持脚リンク及び前記下側支持脚リンクの少なくとも一方は、前記支持脚フレームに連結する支持脚フレーム側連結点と前記本体フレームに連結する本体フレーム側連結点との距離が保持される剛性リンク状態と、前記支持脚フレーム側連結点及び前記本体フレーム側連結点の間の距離が変化する変形リンク状態とに切り換え自在なリンクであり、
前記起伏切換機構は、
前記荷台が前記シャシフレーム上の格納位置にあっては、前記支持脚ローラが地面から離隔した格納姿勢となる位置に前記支持脚フレームを位置させ、
前記荷台のスライド移動時であって荷台が自車両後方で片持ち支持状態のときは、前記支持脚ローラを地面に接地させる接地姿勢となる位置に前記支持脚フレームを起立させ、前記上側支持脚リンク及び前記下側支持脚リンクのうち前記切り換え自在なリンクを前記剛性リンク状態に切り替え、これら上側支持脚リンク及び下側支持脚リンクで前記支持脚フレームを自車両前後方向から支持し、
前記荷台のスライド移動時であって荷台後部の荷台接地ローラが接地状態となってから前記上側支持脚リンク及び前記下側支持脚リンクのうち前記切り換え自在なリンクを前記変形リンク状態に切り替え、前記リンク機構全体が前記支持脚ローラとともに地面から離隔する方向に畳み込まれた倒伏姿勢とすることを特徴とする貨物自動車用荷台支持脚。
【請求項２】
前記起伏切換機構は、自車両前後方向に延在して車幅方向に平行に並んで配置されている起伏外ロッド及び起伏内ロッド、を備え、
前記起伏外ロッド及び前記起伏内ロッドは、自車両前側枢支部が前記シャシフレームに連結され、自車両後側枢支部が前記本体フレームに連結されており、前記起伏内ロッド及び前記起伏外ロッドの一方の長さが他方の長さより短く設定され、前記荷台がスライド移動すると、前記起伏外ロッド及び前記起伏内ロッドが前記自車両前側枢支部及び自車両後側枢支部回りに回動して前記本体フレームを傾倒させることで前記リンク機構の姿勢を変えることを特徴とする請求項１記載の貨物自動車用荷台支持脚。
【請求項３】
前記上側支持脚リンク及び前記下側支持脚リンクのうち前記切り換え自在なリンクは、一端部に前記支持脚フレーム側連結点を有する第１分割リンクと、一端部に前記本体フレーム側連結点を有する第２分割リンクと、これら第１分割リンク及び第２分割リンクの他端部同士が前記自車両幅方向を向く軸回りに連結する連結部と、を備えた二分割リンクであり、
当該二分割リンクは、前記第１分割リンク及び第２分割リンクが直線状に延在することで前記剛性リンク状態となり、前記連結部を回動中心として前記第１分割リンク及び第２分割リンクが折り畳まれることで前記変形リンク状態となることを特徴とする請求項１又は２記載の貨物自動車用荷台支持脚。
【請求項４】
前記リンク機構は、前記本体フレーム側連結点に前記自車両幅方向に延在して固定されて正逆両方向に回転可能な回転伝達ロッドと、この回転伝達ロッドから前記荷台が移動する方向に突出して設けた変形リンク切り替え部と、を備え、
前記起伏切換機構は、前記荷台に第１リンク押圧部を設けており、
前記荷台のスライド移動時であって荷台後部の荷台接地ローラが接地状態となってから前記第１リンク押圧部が前記変形リンク切り替え部を押圧することで前記回転伝達ロッドが正方向に回転し、当該回転伝達ロッドの正方向の回転により、前記二分割リンクが前記変形リンク状態となる方向に第２分割リンクが回動することを特徴とする請求項３記載の貨物自動車用荷台支持脚。
【請求項５】
前記リンク機構は、前記変形リンク切り替え部とは異なる前記回転伝達ロッドの軸方向位置において前記荷台が移動する方向に突出する剛性リンク切り替え部を備え、
前記起伏切換機構は、前記荷台に第２リンク押圧部を設けており、
荷台後部の前記荷台接地ローラが接地状態となっていた前記荷台が前記シャシフレームに向けてスライド移動するときに、前記第２リンク押圧部が前記剛性リンク切り替え部を押圧することで前記回転伝達ロッドが逆方向に回転し、当該回転伝達ロッドの逆方向の回転により、前記二分割リンクが前記剛性リンク状態となる方向に第２分割リンクが回動することを特徴とする請求項４記載の貨物自動車用荷台支持脚。
【請求項６】
自車両のシャシフレーム上に傾動およびスライド移動可能に設けられるとともに地上に降ろされる荷台と、該荷台を自車両の後方にスライド移動させるときに地面に接地して前記荷台を支持する荷台支持脚とを備える貨物自動車であって、
前記荷台支持脚として、請求項１乃至５のいずれか一項に記載の貨物自動車用荷台支持脚を備えていることを特徴とする貨物自動車。
【発明の詳細な説明】
【技術分野】
【０００１】
本発明は、車両等の貨物を積み降ろしするために、荷台を自車両後方へスライド移動させるとともに荷台を自車両の後方の地上まで略水平に降ろす貨物自動車に好適に用い得る荷台支持脚およびこれを備える貨物自動車に関する。
【背景技術】
【０００２】
この種の貨物自動車は、後方へスライド移動される荷台が自車両の後方に片持ちで支持されることを防ぐ必要がある。そこで、この種の貨物自動車は、荷台後端部の荷台接地ローラが接地前に、荷台が自車両の後方に片持ち支持されることを防ぐために荷台支持脚が設けられている。
【０００３】
しかし、荷台を自車両の後方に地上まで略水平に降ろしたときには、地上と荷台との間に荷台支持脚を格納しなければならない。また、荷台後端部の荷台接地ローラが接地後には、片持ち状態は解消されるので、荷台支持脚による支持は不要である。そのため、この種の貨物自動車用荷台支持脚は、折畳み機構を有している。
折畳み機構を有する荷台支持脚としては、例えば特許文献１に記載の技術が知られている。同文献記載の技術では、荷台支持脚は、四節の平行リンク機構を有し、この平行リンク機構を油圧シリンダで折り畳む構造を採用している。
【先行技術文献】
【特許文献】
【０００４】
【特許文献１】特開２０１１−１０５２１４号公報（図４）
【発明の概要】
【発明が解決しようとする課題】
【０００５】
しかしながら、特許文献１に記載の技術は、荷台支持脚が、四節の平行リンク機構を油圧シリンダで折り畳む構造なので、駆動専用のアクチュエータとして油圧シリンダを要している。そのため、製造コストが高くなるという問題があり、また、油圧シリンダを駆動するための配管等の付帯設備も別途に要し、さらに、これら付帯設備の油圧回路等の信頼性を考慮する必要があるという問題がある。
そこで、本発明は、このような問題点に着目してなされたものであって、この種の貨物自動車において、製造コストを抑えつつも、信頼性が高い貨物自動車用荷台支持脚およびこれを備える貨物自動車を提供することを目的とする。
【課題を解決するための手段】
【０００６】
上記課題を解決するために、本発明の一態様に係る貨物自動車用荷台支持脚は、自車両のシャシフレーム上に傾動およびスライド移動可能に設けられるとともに地上に降ろされる荷台を備える貨物自動車に用いられ、上記荷台を前記自車両の後方にスライド移動させるときに地面に接地して上記荷台を支持する荷台支持脚であって、上記荷台支持脚は、地面に接地する支持脚ローラと、上記支持脚ローラが回動可能なように上記荷台の裏面側に設けられて枢支箇所の全てが自車両幅方向を向く軸回りに連結されたリンク機構と、上記シャシフレームに連結して前記リンク機構を支持する本体フレームと、上記荷台のスライド移動により上記リンク機構を回動させる起伏切換機構と、を備え、上記リンク機構は、上記支持脚ローラを支持する支持脚フレームと、上記支持脚フレームの上側と上記本体フレームとを連結する上側支持脚リンクと、上記支持脚フレームの下側と上記シャシフレームとを連結する下側支持脚リンクと、を備え、上記上側支持脚リンク及び上記下側支持脚リンクの少なくとも一方は、上記支持脚フレームに連結する支持脚フレーム側連結点と上記本体フレームに連結する本体フレーム側連結点との距離が保持される剛性リンク状態と、上記支持脚フレーム側連結点及び上記本体フレーム側連結点の間の距離が変化する変形リンク状態とに切り換え自在なリンクであり、上記起伏切換機構は、上記荷台が上記シャシフレーム上の格納位置にあっては、上記支持脚ローラが地面から離隔した格納姿勢となる位置に上記支持脚フレームを位置させ、上記荷台のスライド移動時であって荷台が自車両後方で片持ち支持状態のときは、上記支持脚ローラを地面に接地させる接地姿勢となる位置に上記支持脚フレームを起立させ、上記上側支持脚リンク及び上記下側支持脚リンクのうち上記切り換え自在なリンクを上記剛性リンク状態に切り替え、これら上側支持脚リンク及び下側支持脚リンクで上記支持脚フレームを自車両前後方向から支持し、上記荷台のスライド移動時であって荷台後部の荷台接地ローラが接地状態となってから上記上側支持脚リンク及び上記下側支持脚リンクのうち上記切り換え自在なリンクを上記変形リンク状態に切り替え、上記リンク機構全体が上記支持脚ローラとともに地面から離隔する方向に畳み込まれた倒伏姿勢とする。
【０００７】
また、上記課題を解決するために、本発明の一態様に係る貨物自動車は、自車両のシャシフレーム上に傾動およびスライド移動可能に設けられるとともに地上に降ろされる荷台と、該荷台を自車両の後方にスライド移動させるときに地面に接地して上記荷台を支持する荷台支持脚とを備える貨物自動車であって、上記荷台支持脚として、本発明の一態様に係る貨物自動車用荷台支持脚を備えていることを特徴とする。
【０００８】
本発明によれば、専用のアクチュエータを不要とした簡素な構成でありながら、所期の折り畳み動作が可能なので、製造コストを抑えつつも、所望の動作を安定に確実に行わせることができるため信頼性が高い貨物自動車用荷台支持脚を提供することができる。
また、支持脚ローラを地面に接地させた支持脚フレームの接地姿勢では、リンク機構の上側支持脚リンク及び下側支持脚リンクが車両前後方向から支持脚フレームを支持しているので、荷台の自重が加わっても支持脚フレームの起立状態を確実に保持することができる。
【０００９】
ここで、上記起伏切換機構は、自車両前後方向に延在して車幅方向に平行に並んで配置されている起伏外ロッド及び起伏内ロッド、を備え、上記起伏外ロッド及び上記起伏内ロッドは、自車両前側枢支部が上記シャシフレームに連結され、自車両後側枢支部が上記本体フレームに連結されており、上記起伏内ロッド及び上記起伏外ロッドの一方の長さが他方の長さより短く設定され、上記荷台がスライド移動すると、上記起伏外ロッド及び上記起伏内ロッドが上記自車両前側枢支部及び自車両後側枢支部回りに回動して上記本体フレームを傾倒させることで上記リンク機構の姿勢を変えるようにすると、油圧シリンダ等の専用アクチュエータを用いることなく、所望のタイミングで支持脚本体を必要な位置に切換えることができる。
また、上記上側支持脚リンク及び上記下側支持脚リンクのうち上記切り換え自在なリンクは、一端部に上記支持脚フレーム側連結点を有する第１分割リンクと、一端部に上記本体フレーム側連結点を有する第２分割リンクと、これら第１分割リンク及び第２分割リンクの他端部同士が上記自車両幅方向を向く軸回りに連結する連結部と、を備えた二分割リンクであり、上記二分割リンクは、上記第１分割リンク及び第２分割リンクが直線状に延在することで上記剛性リンク状態となり、上記連結部を回動中心として上記第１分割リンク及び第２分割リンクが折り畳まれることで上記変形リンク状態となるようにすると、二分割リンクが剛性リンク状態のときには支持脚フレームを確実に支持し、変形リンク状態のときには倒伏姿勢が容易となる。
【００１０】
また、上記リンク機構は、上記本体フレーム側連結点に上記自車両幅方向に延在して固定されて正逆両方向に回転可能な回転伝達ロッドと、この回転伝達ロッドから上記荷台が移動する方向に突出して設けた変形リンク切り替え部と、を備え、上記起伏切換機構は、上記荷台に第１リンク押圧部を設けており、上記荷台のスライド移動時であって荷台後部の荷台接地ローラが接地状態となってから上記第１リンク押圧部が上記変形リンク切り替え部を押圧することで上記回転伝達ロッドが正方向に回転し、上記回転伝達ロッドの正方向の回転により、上記二分割リンクが上記変形リンク状態となる方向に第２分割リンクが回動すると、倒伏姿勢において変形リンク状態となる二分割リンクの動作が容易となる。
【００１１】
さらに、上記リンク機構は、上記変形リンク切り替え部とは異なる上記回転伝達ロッドの軸方向位置において上記荷台が移動する方向に突出する剛性リンク切り替え部を備え、上記起伏切換機構は、上記荷台に第２リンク押圧部を設けており、荷台後部の上記荷台接地ローラが接地状態となっていた上記荷台が上記シャシフレームに向けてスライド移動するときに、上記第２リンク押圧部が上記剛性リンク切り替え部を押圧することで上記回転伝達ロッドが逆方向に回転し、上記回転伝達ロッドの逆方向の回転により、上記二分割リンクが上記剛性リンク状態となる方向に第２分割リンクが回動すると、荷台がシャシフレームに向けてスライド移動して支持脚フレームが接地姿勢となるときに、二分割リンクを確実に剛性リンク状態に切り替えることができる。
【発明の効果】
【００１２】
上述のように、本発明によれば、製造コストを抑えつつも、信頼性が高い貨物自動車用荷台支持脚およびこれを備える貨物自動車を提供することができる。また、支持脚ローラを地面に接地させた支持脚フレームの接地姿勢では、リンク機構の上側支持脚リンク及び下側支持脚リンクが車両前後方向から支持脚フレームを支持しているので、荷台の自重が加わっても支持脚フレームの起立状態を確実に保持することができる。
【図面の簡単な説明】
【００１３】
【図１】本発明に係る貨物自動車用荷台支持脚を備える貨物自動車の一実施形態である車両運搬車の左側面図である。なお、同図は走行状態における荷台の格納位置を示している。
【図２】図１の荷台昇降装置の移動機構部分を分解して示した模式図である。
【図３】図１の荷台昇降装置に装備されている、荷台支持脚の部分を車両前方の上方側から見た斜視図である。
【図４】図１の荷台昇降装置に装備されている、荷台支持脚の部分を車両後方の上方側から見た斜視図である。
【図５】荷台支持脚の部分を示す平面図である。
【図６】荷台支持脚の部分を示す左側面図である。
【図７】荷台支持脚の部分を示す背面図である。
【図８】図１の車両運搬車の動作を説明する図（（ａ）〜（ｅ））であり、同図（ａ）は荷台のスライド移動初期姿勢（荷台接地ローラが接地前）を示し、（ｂ）は荷台が更に後退した傾斜初期姿勢（荷台接地ローラが接地時）を示し、（ｃ）は荷台が更に後退した状態（荷台接地ローラが接地状態）を示し、（ｄ）は荷台のスライド移動姿勢を示し（荷台支持脚の折り畳み）、（ｅ）は、その後更に、荷台を自車両の後方に地上まで降ろした乗込位置を示している。
【図９】図１の荷台支持脚の部分の動作を説明する図（（ａ）〜（ｅ））であり、同図（ａ）は荷台の格納位置での姿勢を示し、（ｂ）は荷台のスライド移動初期姿勢（荷台接地ローラが接地前）の姿勢を示し、（ｃ）は荷台が更に後退し、二分割リンクが変形初期で支持脚ローラが接地時の姿勢を示し、（ｄ）は荷台接地ローラが接地後更に後退して荷台支持脚の折り畳みを示し、（ｅ）は、荷台を自車両の後方に地上まで降ろした乗込位置における姿勢を示している。
【図１０】接地状態となっていた荷台がシャシフレームに向けてスライド移動する途中でリンク機構を構成する二分割リンクを剛性リンク状態とする動作を示している。
【発明を実施するための形態】
【００１４】
以下、本発明に係る貨物自動車の一実施形態の車両運搬車について、図面を適宜参照しつつ説明する。
図１に示すように、この車両運搬車１は、そのシャシフレーム２上に荷台３を備えている。荷台３の前部には、いわゆる鳥居５が一体に設けられ、荷台３の後部には、後煽り４が装備されている。後煽り４は、自車両前後方向に回動可能に取付けられており、同図に示す垂直な閉じ位置、および後方に回動して車両を乗り入れるときのスロープとなる開き位置（図８（ｅ）参照）のそれぞれに位置可能になっている。
【００１５】
この車両運搬車１は、荷台３とシャシフレーム２との間に荷台昇降装置１０を装備している。また、荷台３の後部下側には、可倒式の荷台支持脚６０が装備されている。
以下、上記荷台昇降装置１０について説明する。なお、図２は、図１の荷台昇降装置１０の部分を分解して示した模式図である。
図２に示すように、荷台３は、その車両幅方向両側に、荷台縦根太６をそれぞれ有する。荷台縦根太６は、溝形鋼状の長尺な部材であり、溝形鋼の凹溝側を幅方向での内側に向けて対向配置されている。荷台３の後端下部には、荷台接地ローラ５０が設けられている。荷台接地ローラ５０は、荷台３が自車両の後方に降ろされたときに地上ＧＬに当接してスライド移動方向（自車両の前後方向でもある）への移動を補助する。シャシフレーム２の後端には、荷台受けローラ５４が付設されている。荷台受けローラ５４は、スライド移動される荷台３を下方から支持する。
【００１６】
荷台昇降装置１０は、荷台３を移動させる移動機構を備え、この移動機構によって、荷台３を、シャシフレーム２上に格納した格納位置Ｋ（図１参照）、およびその格納位置Ｋから荷台３を自車両の後方に且つ地上ＧＬと略水平となる位置まで降ろした乗込位置Ｎ（図８（ｅ）参照）までスライド移動可能に構成されている。これにより、この車両運搬車１は、乗込位置Ｎで車両を荷台３に積載するとともに、その積載した車両を、荷台３を格納位置Ｋに格納して運搬可能になっている。なお、荷台接地ローラ５０が接地した状態であれば、積載自体は可能である。
【００１７】
詳しくは、図２に示すように、この荷台昇降装置１０は、シャシフレーム２上にガイドレール１１が付設され、このガイドレール１１上に移動フレーム２０を介して荷台３が載置されている。さらに、この荷台昇降装置１０は、移動フレーム２０および荷台３をスライド移動させるための駆動機構として、前方シリンダ３０および後方シリンダ４０を備えている。前方シリンダ３０および後方シリンダ４０は、そのチューブの途中部分が枢支されたセンタトラニオン構造を有する。
【００１８】
前方シリンダ３０は、そのロッド３２の先端がベースフレーム８の前部８ａに枢支されるとともに、そのチューブ３４の途中部分（以下、枢支部）３６が移動フレーム２０の中間部２０ｂに枢支されている。また、後方シリンダ４０は、そのロッド４２の先端が荷台３の後部３ａに枢支されるとともに、そのチューブ４４の途中部分（以下、枢支部）４６が移動フレーム２０の後部２０ａに枢支されている。そして、荷台３ないし移動フレーム２０は、前方シリンダ３０および後方シリンダ４０の二つの油圧シリンダの伸縮に応じて移動され、これにより、荷台３をシャシフレーム２上に格納した格納位置Ｋから自車両の後方に荷台３を降ろした乗込位置Ｎまで移動可能になっている。
【００１９】
シャシフレーム２上には、荷台昇降装置１０を固定するための基部となるベースフレーム８が固定されている。前述したガイドレール１１は、ベースフレーム８上に一体に連結され、シャシフレーム２上の車両後方の位置に付設されている。ガイドレール１１は、車両幅方向両側に一対をなして付設された溝形鋼状の長尺の案内部材であり、案内溝となる溝形鋼の溝側を幅方向での内側に向けて対向配置されている。そして、各ガイドレール１１は、その前端部および後端部を下方に向けて湾曲加工されることで、側面視が略「へ」字形をなすように形成され、これにより、その前端側（車両前方側）から順に、前方傾斜部（（不図示））、水平部１４、後方第一傾斜部１６および後方第二傾斜部１８を有して構成されている。
【００２０】
移動フレーム２０は、平面視が略梯子状の枠体に形成され、その後方部の両側に、車両前後方向に離間した一対の前側ローラ２１および後側ローラ２２をそれぞれ備えている。移動フレーム２０は、この一対の前側ローラ２１および後側ローラ２２により、ガイドレール１１の溝にスライド移動可能に嵌合されている。前側ローラ２１は、スライド方向での車両前方側に設けられるとともに、車両下方に向けて張り出す腕部の先端に取り付けられている。後側ローラ２２は、スライド方向での車両後方側に設けられ、前側ローラ２１とは異なり、移動フレーム２０部分に直接取り付けられ、これにより、前側ローラ２１よりも車両上下方向での上方に位置している。
【００２１】
また、これら前側ローラ２１および後側ローラ２２は、移動フレーム２０の外側面から幅方向外側に向けて張り出しており、車両幅方向を向く支軸を介してその軸まわりに回転可能である。そして、これら前側ローラ２１および後側ローラ２２は、上述した一対のガイドレール１１の略コ字状の各溝に嵌合して転動可能に支持されており、ガイドレール１１に沿って、移動フレーム２０のスライド移動を円滑に案内している。
【００２２】
また、移動フレーム２０には、その車両幅方向両側に、一対の移動フレームレール２４が固定されている。各移動フレームレール２４は、溝形鋼状の長尺の案内部材であり、荷台３の前両側に設けられた荷台前側ローラ５２が転動可能に支持されており、この移動フレームレール２４に沿って、荷台３のスライド移動を円滑に案内するようになっている。
上述した格納位置Ｋにおいて、前側ローラ２１は、ガイドレール１１の前方傾斜部（不図示）に位置し、後側ローラ２２はガイドレール１１の水平部１４に位置している。そのため、格納位置Ｋにあっては、移動フレーム２０がシャシフレーム２上で略水平となり、荷台３の姿勢も水平に支持される。そして、荷台３の移動時は、荷台前側ローラ５２が移動フレームレール２４に案内され、後方に移動する。その後、上述したガイドレール１１の各傾斜部等１４、１６および１８の形状に倣って前側ローラ２１および後側ローラ２２がスライド移動する。これにより、荷台昇降装置１０は、移動フレーム２０上の荷台３を自車両の後方に降ろす上で必要な高さまで下げるように移動および傾斜させつつ支持して、荷台３を地上にほぼ水平状態に降ろすことができるようになっている。
【００２３】
そして、この車両運搬車１は、図１で示したように、シャシフレーム２の後部に上下移動式の荷台支持脚６０が設けられている。
荷台支持脚６０は、荷台３を自車両の後方にスライド移動させるときに、支持脚ローラ６１を地面に接地させて荷台３を支持するものである。詳しくは、この荷台支持脚６０は、図１に示すように、地面に接地する支持脚ローラ６１と、支持脚ローラ６１を支持する支持脚フレーム６２と、この支持脚フレーム６２を含んで構成されて支持脚フレーム６２を回動可能なように枢支箇所の全てが車両幅方向を向く軸まわりに連結されたリンク機構８０と、リンク機構８０を荷台３のスライド移動の作用によって回動させる起伏切換機構と、を備えている。なお、荷台支持脚６０を構成する各フレームおよびリンクの部材は、矩形断面の金属製の角パイプまたは矩形断面の金属製の角棒を用いて製作されている。
【００２４】
この荷台支持脚６０は、起伏切換機構により支持脚フレーム６２を自車両幅方向を向く軸まわりに回動させることで、支持脚ローラ６１が地面から離隔した格納姿勢Ｒ（図１、図６、図９（ａ）参照）と、支持脚ローラ６１を地面に接地させるように荷台３の裏面から下方に向けて張り出させた接地姿勢Ｓ（図８（ａ）、（ｂ）、図９（ｂ）参照）と、荷台３の後端部の荷台接地ローラ５０が接地状態となった以後に、リンク機構８０全体が支持脚ローラ６１とともに地面から離隔する方向に畳み込まれた倒伏姿勢Ｔ（図８（ｅ）、図９（ｅ））とのそれぞれの姿勢に切換可能になっている。
【００２５】
以下、上記荷台支持脚６０について、図３から図７を適宜参照して、より詳しく説明する。
この荷台支持脚６０は、図３及び図４に示すように、本体フレーム１１０を有している。この本体フレーム１１０は、正面視が略Ｕ字状をなし、車両上下方向を向く左右一対の縦フレーム１１１と、一対の縦フレーム１１１相互の下端部を車両幅方向で繋ぐ横フレーム１１２とを有する。
【００２６】
一対の縦フレーム１１１の上端部の車両幅方向の外側面側にガイドローラ１１３が配置されており、これらガイドローラ１１３は、荷台縦根太６の凹溝に案内されるように内嵌されている。これにより、本体フレーム１１０は、一対のガイドローラ１１３を介して荷台３側に支持され、一対のガイドローラ１１３の転動により荷台３のスライド移動とは相対的にスライド移動するようになっている。
【００２７】
本体フレーム１１０の左右一対の縦フレーム１１１の下部には、車両幅方向の外方に突出する固定台１１４が固定されており、固定台１１４に設けたロッド回動用腕１１５，１１６に、縦フレーム１１１より車両後側で車両幅方向に延在する回転伝達ロッド８１が軸回りに回動可能に支持されている。
支持脚フレーム６２は、車両上下方向を向く左右一対の縦支持脚フレーム６３と、一対の縦支持脚フレーム６３相互の下端部を車両幅方向で繋ぐ横支持脚フレーム６４とを有し、左右一対の縦支持脚フレーム６３は、その下端部で支持脚ローラ６１を支持し、上端部で第１転動ローラ６５を支持している。
【００２８】
上記構成の支持脚フレーム６２は、本体フレーム１１０の車両前側に配置され、回転伝達ロッド８１と支持脚フレーム６２の上側との間を連結している二分割リンク構造の上側支持脚リンク６６と、支持脚フレーム６２の下側に連結して車両前側に延在している下側支持脚リンク６７とで、回動可能に支持されている。
上側支持脚リンク６６は、図６に示すように、上方の第１分割リンク６８の下端部と、下方の第２分割リンク６９の上端部とが、連結支軸７０により回動可能に連結されている。第１分割リンク６８の上端部は支持脚フレーム６２の縦支持脚フレーム６３の上側に、連結点６８ａを介して回動自在に連結され、第２分割リンク６９の下端部が、連結点６９ａを介して回転伝達ロッド８１に固定されている。ここで、本願発明に係る支持脚フレーム側連結点が連結点６８ａに対応し、本願発明に係る本体フレーム側連結点が連結点６９ａに対応している。
【００２９】
そして、連結支軸７０の位置には、上下のリンク６８、６９相互の折り畳み方向を規制する横断面略コ字状の支持脚規制板７１が第２分割リンク６９側に一体に装着されている。支持脚規制板７１は、上下のリンク６８、６９相互の上方側を向く側面にリンク６８、６９相互の面が面一で当接する規制面（略コ字状の底面部）を有し、これにより、上方側を向く側面側への折り畳みが不可能とされ、反対側への折り畳み動作のみを許容するように装着されている。
【００３０】
下側支持脚リンク６７は、図４に示すように、上下方向に延在している第１フレーム７２と、この第１フレーム７２の下端側に連結プレート７３を介して固定され、第１フレーム７２に対して略直角方向の車両後方に延在している第２フレーム７４と、第１フレーム７２の上端部で支持されている第２転動ローラ７５と、第２フレーム７４の先端部及び支持脚フレーム６２の縦支持脚フレーム６３の下側に連結している後側枢支部６７ｕと、第１フレーム７２の下側に設けた前側枢支部６７ｍと、を備えている。
【００３１】
そして、図５に示すように、下側支持脚リンク６７の前側枢支部６７ｍが、シャシフレーム２に一体化されて車両幅方向に延在するガイドフレーム２ａに枢支されている。
上述したように、上側支持脚リンク６６の第２分割リンク６９の下端部は、回転伝達ロッド８１に固定されているが、図７に示すように、回転伝達ロッド８１の上側支持脚リンク６６より車両幅方向の外側に第１ステー７６が固定されおり、この第１ステー７６の上端部に第３転動ローラ７７が支持されている。また、回転伝達ロッド８１の上側支持脚リンク６６より車両幅方向の内側に第２ステー７８が固定され、この第２ステー７８の上端部に第４転動ローラ７９が支持されている。ここで、第４転動ローラ７９は、支持脚フレーム６２の縦支持脚フレーム６３の上端部に設けた第１転動ローラ６５に対して車両幅方向位置が重なっている。
【００３２】
また、回転伝達ロッド８１には、ねじりコイルバネによって形成された付勢バネ１１７が係合しており、この付勢バネ１１７の作用により、図６において回転伝達ロッド８１に反時計回りの付勢力が伝達され、これにより、二分割リンク構造の上側支持脚リンク６６は、常時、第１分割リンク６８及び第２分割リンク６９相互が一直線となる側に付勢されている。
【００３３】
このように、本実施形態のリンク機構８０は、本体フレーム１１０、支持脚フレーム６２、上側支持脚リンク６６、下側支持脚リンク６７、回転伝達ロッド８１、回転伝達ロッド８１に固定されている第１ステー７６及び第３転動ローラ７７、第２ステー７８及び第４転動ローラ７９で構成されている。
なお、本発明に係るリンク機構の変形リンク切換え部が第１ステー７６及び第３転動ローラ７７に対応し、本発明に係るリンク機構の剛性リンク切換え部が第２ステー７８及び第４転動ローラ７９に対応している。
【００３４】
さらに、本実施形態の荷台支持脚６０は、荷台接地ローラ５０が接地以後に上述した倒伏姿勢Ｔに移行させるため、起伏切換機構の動作でリンク機構８０を荷台３のスライド移動の作用によって回動させる。
起伏切換機構は、図３及び図６で示す起伏外ロッド９２及び起伏内ロッド９４と、図１及び図２に示すように、荷台３を構成する荷台縦根太６の車両前側の下面に固定された前側ストライカ１０２と、荷台縦根太６の車両後側の下面に固定された後側ストライカ１０３と、前側ストライカ１０２及び後側ストライカ１０３の間の位置で荷台縦根太６の下面の車両前後方向に延在して固定されているローラ受け材１０４の前側傾斜部１０５と、を有している。
【００３５】
起伏外ロッド９２は、本体フレーム１１０の車幅方向で最も外側に配置され、起伏内ロッド９４は、車幅方向で最も内側寄りに配置されている。
これら起伏外ロッド９２及び起伏内ロッド９４は、車両幅方向に離間して一対をなし、内側の起伏内ロッド９４は、荷台３の裏面に設けられた中央の後方シリンダ４０の左右に等配されて一対設けられている。これら二組の起伏ロッド９２、９４は、前側枢支部９２ｍ，９４ｍがシャシフレーム２に車両幅方向を向く軸まわりに回動可能に枢支され、後側枢支部９２ｕ，９４ｕが本体フレーム１１０に車両幅方向を向く軸まわりに回動可能に枢支されている。
【００３６】
起伏内ロッド９４の端部の枢支位置は、図１の格納位置Ｋにおいて、所期の格納姿勢Ｒとなるように設けられている。
つまり、走行時には、本体フレーム１１０が荷台３の裏面に対して直角姿勢となるように、車両前後方向において起伏内ロッド９４の前側枢支部９４ｍが起伏外ロッド９２の前側枢支部９２ｍよりも低い位置に枢支されており、起伏内ロッド９４の後側枢支部９４ｕが起伏外ロッド９２の後側枢支部９２ｕよりも高い位置に枢支されている。
【００３７】
また、起伏内ロッド９４の長さは、起伏外ロッド９２の長さよりも短くされており、車両前後方向での各起伏ロッド９２、９４の枢支位置は、起伏内ロッド９４の前側枢支部９４ｍが起伏外ロッド９２の前側枢支部９２ｍよりも車両後方の位置で枢支され、さらに、各ロッド９２、９４の後側枢支部９２ｕ、９４ｕが側面視で前後が略同じ位置に枢支されている。
【００３８】
また、起伏切換機構を構成する後側ストライカ１０３は、支持脚ローラ６１が地面から隔離した格納姿勢Ｒとなるときに、下側支持脚リンク６７の第２転動ローラ７５を前に押し、下側支持脚リンク６７を図６において前側枢支部６７ｍを中心として反時計回りに回転させ、第２フレーム７２の後側枢支部６７ｕを上方に移動させて支持脚フレーム６２を上昇させる。
【００３９】
そして、荷台接地ローラ５０が接地状態となっている状態から荷台３がシャシフレーム２に向けてスライド移動するときに、ローラ受け材１０４の前側傾斜部１０５が、回転伝達ロッド８１に固定されている第２ステー７８の第４転動ローラ７９を押圧し、回転伝達ロッド８１に図６において反時計回りの回転が伝達され、上側支持脚リンク６６の第１分割リンク６８及び第２分割リンク６９相互が直線状（本発明の剛性リンク状態）となる。
【００４０】
また、荷台３の後端部の荷台接地ローラ５０が接地状態となった以後、車両前方から車両後方に移動する起伏切換機構の前側ストライカ１０２が、回転伝達ロッド８１に固定されている第１ステー７６の第３転動ローラ７７を押圧することで、回転伝達ロッド８１に図６において時計回りの回転が伝達され、二分割リンク構造の上側支持脚リンク６６は、第１分割リンク６８及び第２分割リンク６９が折り畳まれた状態（本発明の変形リンク状態）となる。
【００４１】
なお、本発明に係る起伏切換機構の第１リンク押圧部が前側ストライカ１０２に対応し、本発明に係る起伏切換機構の第２リンク押圧部がローラ受け材１０４の前側傾斜部１０５に対応し、本発明に係る連結ロッドが起伏外ロッド９２及び起伏内ロッド９４に対応している。
次に、上記荷台昇降装置１０の移動動作およびこれに伴う可倒式の荷台支持脚６０の動作並びにその作用効果について、図１、図８及び図９等を適宜参照しつつ説明する。
【００４２】
この車両運搬車１が走行状態のときには、図１に示すように、荷台３は、シャシフレーム２上に格納された格納位置Ｋにある。荷台３が格納位置Ｋのときは、荷台支持脚６０の本体フレーム１１０は、図９（ａ）に示すように、荷台３に対して下方に直角に張り出した格納姿勢Ｒとなる。このとき、下側支持脚リンク６７の第２転動ローラ７５が、起伏切換機構の後側ストライカ１０３に押されることで、下側支持脚リンク６７を図９（ａ）において前側枢支部６７ｍを中心として反時計回りに回転させ、第２フレーム７４の後側枢支部６７ｕが上方に移動し、支持脚フレーム６２を上昇させる。このように、格納姿勢Ｒにおいて荷台３に設けた後側ストライカ１０３に下側支持脚リンク６７が係合して支持脚フレーム６２を上昇させることから、車両後側の地上高さを高く設定してデパーチャアングルを十分に確保することができる。
【００４３】
そして、この車両運搬車１は、荷台昇降装置１０を駆動することによって、図１に示す格納位置Ｋから、図８（ｅ）に示す乗込位置Ｎのように、荷台３を自車両の後方に降ろすことができる。このとき、荷台支持脚６０は、荷台昇降装置１０により荷台３が自車両の後方に降ろされる際に、支持脚として用いることができる。特に、上述した荷台支持脚６０によれば、油圧シリンダ等の専用アクチュエータを用いることなく、所望のタイミングで支持脚フレーム６２を、格納姿勢Ｒ〜接地姿勢Ｓ〜倒伏姿勢Ｔに応じた必要な位置に切換可能である。
【００４４】
詳しくは、この車両運搬車１は、図８（ａ）に示すように、荷台昇降装置１０は、後方シリンダ４０を駆動してロッド４２を所定量だけ伸長させる。これにより、移動フレーム２０に沿って荷台３が案内されて車両後方にスライド移動を開始する。
このとき、荷台支持脚６０は、図９（ｂ）に示すように、本体フレーム１１０全体が荷台３とともに傾斜する。このとき、起伏切換機構の後側ストライカ１０３と第２転動ローラ７５との当接が解除された下側支持脚リンク６７が、前側枢支部６７ｍで時計回りに回転する。そして、支持脚フレーム６２が起立して支持脚ローラ６１が地面に接地し、荷台縦根太６の下面に設けたローラ受け材１０４が第１転動ローラ６５上を移動することで、荷台３を車両後方で支持する接地姿勢Ｓへの切換えが行われる。
【００４５】
接地姿勢Ｓに切換わった支持脚フレーム６２の縦支持脚フレーム６３に、図９（ｂ）に示すように、縦支持脚フレーム６３の上側と本体フレーム１１０との間に、第１分割リンク６８及び第２分割リンク６９相互を直線状とした上側支持脚リンク６６が連結し、縦支持脚フレーム６３の下側とシャシフレーム２（ガイドフレーム２ａ）との間に、下側支持脚リンク６７の第２フレーム７４が連結している。
【００４６】
これにより、上側支持脚リンク６６及び下側支持脚リンク６７の第２フレーム７４が縦支持脚フレーム６３を車両前後方向から支持し、荷台４の自重が加わっても縦支持脚フレーム６３の起立状態が確実に保持されるので、荷台３の姿勢が安定した状態でスライド移動が継続される。
荷台支持脚６０は、図８（ａ）に示すように荷台３の後端部の荷台接地ローラ５０が接地状態となる前から、図８（ｂ）に示すように荷台接地ローラ５０が接地状態となるときまで荷台３を支持する。
【００４７】
次いで、荷台昇降装置１０は、前方シリンダ３０の伸長を継続する。これにより、荷台３が後方に移動するにつれて移動フレーム２０がガイドレール１１の水平部に移行して支持される。そのため、図８（ｃ）に示すように、移動フレーム２０全体としては、傾斜初期姿勢のまま自車両後方に水平にスライド移動され、これとともに荷台３も更に後方に移動し、荷台接地ローラ５０が地上ＧＬに接地したことで荷台３の姿勢が安定した状態でスライド移動が継続される。
【００４８】
このとき、荷台３の前方部分は、荷台前側ローラ５２が移動フレームレール２４の後側（図２参照）によって支持され、荷台３は両持ち状態で保持されている。よって、荷台支持脚６０での支持はこの時点からは不要となるところ、図９（ｃ）に示すように、車両後方に移動する荷台３の荷台縦根太６に設けた起伏切換機構の前側ストライカ１０２が、回転伝達ロッド８１に固定されている第１ステー７６の第３転動ローラ７７を押圧し、回転伝達ロッド８１に図９（ｃ）において時計回りの回転が伝達される。これにより、上側支持脚リンク６６を構成する第１分割リンク６８及び第２分割リンク６９が折り畳まれた状態となる。
【００４９】
次いで、荷台昇降装置１０は、図８（ｄ）に示すように、前方シリンダ３０を駆動して伸長させる。これにより、ガイドレール１１に沿って移動フレーム２０が案内されつつ、荷台３が荷台接地ローラ５０を地上ＧＬに接地させながら車両後方に更にスライド移動していく。
このとき、荷台支持脚６０は、図９（ｄ）に示すように、本体フレーム１１０の下端部は、荷台縦根太６の凹溝に内嵌されているガイドローラ１１３が下方に移動することにより、時計方向に回転して車両前方向に引き上げられ、ガイドローラ１１３の枢支部の位置を中心に時計方向に回動して傾斜していく。
【００５０】
また、この本体フレーム１１０の傾斜に伴い、本体フレーム１１０に端部が枢支された起伏ロッド９２、９４は、枢支位置の高さの違いによってクロスリンクが折り畳まれる（狭まる）ように移動していく。したがって、荷台支持脚６０は、全体として地面から離隔する方向に畳み込まれていくとともに、荷台支持脚６０の縦支持脚フレーム６３の下側に連結している下側支持脚リンク６７も地面から離隔する方向に回動し、縦支持脚フレーム６３の上側に連結している上側支持脚リンク６６もさらに折り畳まれた状態となる。
【００５１】
次いで、図８（ｅ）に示すように、荷台昇降装置１０は、前方シリンダ３０を伸長させる。これにより、前方シリンダ３０が移動フレーム２０を更に後方に押すことにより、移動フレーム２０がガイドレール１１に沿って車両後方にスライド移動する。このとき、移動フレーム２０の前側はガイドレール１１の水平部で支持され、後側は後方の傾斜部にて支持されるため、移動フレーム２０の後側については後方に移動するにつれて次第に後傾する。これにより、移動フレーム２０全体としては、後方が下方に向けて更に後傾され、これに伴い、移動フレーム２０上の荷台３は地上ＧＬ方向に降ろされ、地上ＧＬに対して略水平な乗込位置Ｎに位置することができる。
【００５２】
このとき、図９（ｅ）に示すように、荷台支持脚６０の縦支持脚フレーム６３に連結している上側支持脚リンク６６は折り畳み動作が最大倒伏状態にまで移行する。これにより、荷台３が地面と略並行になるまで降ろされる。
また、荷台３を乗込位置Ｎから格納位置Ｋに移動することにより、起伏外ロッド９２及び起伏内ロッド９４の動作で本体フレーム１１０を起こし、上側支持脚リンク６６、下側支持脚リンク６７及び他のリンク機構８０を回動して荷台３裏面から本体フレーム１１０を下方に向けて張り出させた格納姿勢Ｒとする動作は、上述とは逆動作によって行われる。
【００５３】
ここで、図１０は、荷台接地ローラ５０が接地状態となっていた荷台３がシャシフレーム２に向けてスライド移動する途中の状態を示すものである。
このとき、起伏切換機構の起伏ロッド９２、９４のクロスリンク状態が開いていき、支持脚フレーム６２は、自重による下方移動とともに徐々に起立していく。通常、この支持脚フレーム６２の下方移動とともに、上側支持脚リンク６６の第１分割リンク６８も下方に移動し、第１分割リンク６８及び第２分割リンク６９の相互が直線状となる。
【００５４】
しかし、何らかの障害物との一時的な接触により支持脚フレーム６２の下方移動が行われず、上側支持脚リンク６６が折り畳まれた状態になっていると、支持脚フレーム６２が接地姿勢Ｓに切換わったときに、上側支持脚リンク６６が支持脚フレーム６２を支持することができない。
そこで、本実施形態では、荷台３がシャシフレーム２に向けてスライド移動する途中に、起伏切換機構を構成するローラ受け材１０４の前側傾斜部１０５が、回転伝達ロッド８１に固定されている第２ステー７８の第４転動ローラ７９を押圧し、回転伝達ロッド８１に反時計回りの回転力が伝達される。この回転伝達ロッド８１の反時計回りの回転力が、第２分割リンク６９に伝達されることで、上側支持脚リンク６６の第１分割リンク６８及び第２分割リンク６９相互が直線状となる。
【００５５】
したがって、荷台３がシャシフレーム２に向けてスライド移動する途中に支持脚フレーム６２が接地姿勢Ｓに切換わったときにも、上側支持脚リンク６６及び下側支持脚リンク６７の第２フレーム７４が縦支持脚フレーム６３を車両前後方向から支持することができる。
以上説明したように、本実施形態の車両運搬車１によれば、荷台支持脚６０は、後傾途中における荷台３を支えて荷台３の安定したスライド移動を実現することができる。
【００５６】
そして、この荷台支持脚６０によれば、起伏切換機構を構成する起伏外ロッド９２及び起伏内ロッド９４が、荷台３のスライド移動および昇降動作の起伏切換のための駆動力として働く。つまり、荷台３が、自車両後方に後退しつつ傾斜を開始すると、起伏外ロッド９２及び起伏内ロッド９４の動作によりリンク機構８０を自動的に所期の姿勢となる方向に回動させ、油圧シリンダ等の専用アクチュエータを用いることなく、所望のタイミングで支持脚本体６２を、格納姿勢Ｒ〜接地姿勢Ｓ〜倒伏姿勢Ｔに応じた必要な位置に切換えることができる。
【００５７】
また、接地姿勢Ｓの荷台支持脚６０は、リンク機構８０の側支持脚リンク６６及び下側支持脚リンク６７の第２フレーム７４により車両前後方向から支持されているので、荷台４の自重が加わっても起立状態を確実に保持することができる。
また、荷台３が荷台接地ローラ５０を地上ＧＬに接地させながら車両後方に更にスライド移動していく際に、起伏切換機構を構成する荷台３に設けた前側ストライカ１０２がリンク機構８０を構成する第３転動ローラ７７を押圧することで、上側支持脚リンク６６が折り畳まれた状態となる。したがって、本実施形態の荷台支持脚６０は、専用のアクチュエータを不要とした簡素な構成でありながら、所期の折り畳み動作が可能なので、製造コストを抑えつつも、所望の動作を安定に確実に行わせることができるため信頼性が高い。
なお、本発明に係る貨物自動車用荷台支持脚およびこれを備える貨物自動車は、上記実施形態に限定されるものではなく、本発明の趣旨を逸脱しなければ種々の変形が可能なことは勿論である。
【符号の説明】
【００５８】
１  車両運搬車（貨物自動車）
２  シャシフレーム
２ａ  ガイドフレーム
３  荷台
５  鳥居
６  荷台縦根太
８  ベースフレーム
１０  荷台昇降装置
１１  ガイドレール
１４  水平部
１６  後方第一傾斜部
１８  後方第二傾斜部
２０  移動フレーム
２１  前側ローラ
２２  後側ローラ
２４  移動フレームレール
３０  前方シリンダ
３２  ロッド
３４  チューブ
４０  後方シリンダ
４２  ロッド
４４  チューブ
５０  荷台接地ローラ
５２  荷台前側ローラ
５４  ローラ
６０  荷台支持脚
６１  支持脚ローラ
６２  支持脚フレーム
６３  縦支持脚フレーム
６４  横支持脚フレーム
６５  第１転動ローラ
６６  上側支持脚リンク
６７  下側支持脚リンク
６７ｍ  前側枢支部
６７ｕ  後側枢支部
６８  第１分割リンク
６８ａ  連結点
６９  第２分割リンク
６９ａ  連結点
７０  連結支軸（連結部）
７１  支持脚規制板
７２  第１フレーム
７３  連結プレート
７４  第２フレーム
７５  第２転動ローラ
７６  第１ステー
７７  第３転動ローラ
７８  第２ステー
７９  第４転動ローラ
８０  リンク機構
８１  回転伝達ロッド
９２  起伏外ロッド
９４  起伏内ロッド
１０２  前側ストライカ（第１リンク押圧部）
１０３  後側ストライカ
１０４  ローラ受け材
１０５  前側傾斜部（第２リンク押圧部）
１１０  本体フレーム
１１１  縦フレーム
１１２  横フレーム
１１３  ガイドローラ
１１４  固定台
１１５，１１６  ロッド回動用腕
１１７  付勢バネ
ＧＬ  地上
Ｋ  （荷台の）格納位置
Ｎ  （荷台の）乗込位置
Ｒ  （荷台支持脚の）格納姿勢
Ｓ  （荷台支持脚の）接地姿勢
Ｔ  （荷台支持脚の）倒伏姿勢
【図１】
0006359944.tif 000002
【図２】
0006359944.tif 000003
【図３】
0006359944.tif 000004
【図４】
0006359944.tif 000005
【図５】
0006359944.tif 000006
【図６】
0006359944.tif 000007
【図７】
0006359944.tif 000008
【図８】
0006359944.tif 000009
【図９】
0006359944.tif 000010
【図１０】
0006359944.tif 000011